(57)【要約】【課題】遊技者の興趣を高めることが可能な遊技機用可動演出装置及びそれを備えた遊技機を提供する。【解決手段】センター役物１１４における左側の位置には、遊技機用可動演出装置１が設けられている。遊技機用可動演出装置１は、可変表示装置１１５の演出に合わせて可動する可動演出部材２を有している。この可動演出部材２は、例えばリーチアクションなどの演出に合わせて初期位置から左斜め下方向へ特異な動きで落下する。可動演出部材２は、下方へ移動しつつ前面視左方向へも移動することから、左斜め下方向へと移動するように遊技者から見える。【選択図】図１
2011019687.tif 000002
【特許請求の範囲】
【請求項１】
遊技機での遊技状態に応じて可動する可動演出部材と、該可動演出部材を移動させる移動機構とを備える遊技機用可動演出装置において、
前記移動機構は、遊技盤の盤面に沿って所定の方向に移動可能な第１可動手段と、該第一可動手段に配置され、前記可動演出部材が固定されるとともに、該可動演出部材を前記所定の方向に交差する方向に可動可能な第２可動手段と、一端が前記第１可動手段に組み付けられ、且つ、他端が前記第２可動手段に組み付けられるとともに、前記第１可動手段の移動を前記第２可動手段の可動に伝達する伝達手段と、を備え、
前記可動演出部材は、前記第１可動手段が移動したとき、前記伝達手段を介して前記第２可動手段が可動することにより、前記所定の方向に沿って移動しつつ、その所定方向に対して前記交差する方向にも移動する
ことを特徴とする遊技機用可動演出装置。
【請求項２】
請求項１に記載の遊技機用可動演出装置において、
前記伝達手段は、長手状形態をなし被ガイド部を備える梃子部材と、前記第１可動手段の移動に伴い前記被ガイド部を案内する所望の経路のガイドレールと、を含み構成され、
前記被ガイド部は、前記梃子部材の長手方向中間位置に配置されている
ことを特徴とする遊技機用可動演出装置。
【請求項３】
請求項２に記載の遊技機用可動演出装置において、
前記ガイドレールは、前記第１可動手段に組み付けられた前記伝達手段として前記梃子部材の一端が移動する軌跡に対して、前記可動演出部材の移動の前後において前記直交する方向に略同等な距離の範囲内で形成されている
ことを特徴とする遊技機用可動演出装置。
【請求項４】
請求項３に記載の遊技機用可動演出装置において、
前記ガイドレールは、この端部に前記所定の方向に沿う部分で、且つ、前記被ガイド部を収納する部分が形成されている
ことを特徴とする遊技機用可動演出装置。
【請求項５】
請求項１ないし請求項４いずれか記載の遊技機用可動演出装置を備えた
ことを特徴とする遊技機。
【発明の詳細な説明】
【技術分野】
【０００１】
本発明は、遊技機における様々な演出に合わせて可動する可動演出部材を有する装置、すなわち遊技機用可動演出装置と、その遊技機用可動演出装置を備えた遊技機に関する。
【背景技術】
【０００２】
遊技機のセンター役物には、機種ごとに可動式の可動演出部材（装飾体）が設けられており、例えば、リーチアクションなどの演出に合わせて可動演出部材を可動（移動）させることにより、遊技者の興趣を高めることができるようになっている。可動演出部材などの可動態様に関しては、多数の提案がなされている。
【０００３】
例えば下記特許文献１に開示された可動演出部材にあっては、初期位置として可変表示装置の上側に配置されている。このような配置の可動演出部材は、突然所定位置まで落下して遊技者に対し驚きを与える、というような演出効果を発揮できるようになっている。可動演出部材は、真っ直ぐ下に、すなわち直線的に落下するようになっている。
【先行技術文献】
【特許文献】
【０００４】
【特許文献１】特開２００６−１９２１５４号公報
【発明の概要】
【発明が解決しようとする課題】
【０００５】
ところで、上記従来技術にあっては、可動演出部材を突然落下させることから、遊技者に対し驚きを与えることができるものの、動き自体は直線的であるので、遊技者の興趣を高めるには十分といえない感がある。
【０００６】
また、上記従来技術にあっては、可動表示装置の左右方向中央位置を比較的大きな可動演出部材が直線的に落下することから、可変表示装置の左位置又は右位置に他の可動演出部材を設けようとしても、この可動領域を大きくとることができず、結果、遊技者の興趣を高めることができないという問題点を有する。
【０００７】
本発明は、上記した事情に鑑みてなされたもので、遊技者の興趣を高めることが可能な遊技機用可動演出装置を提供することを課題とする。
【課題を解決するための手段】
【０００８】
上記課題を解決するために、本発明の遊技機用可動演出装置は、遊技機での遊技状態に応じて可動する可動演出部材と、該可動演出部材を移動させる移動機構とを備える遊技機用可動演出装置において、前記移動機構は、遊技盤の盤面に沿って所定の方向に移動可能な第１可動手段と、該第一可動手段に配置され、前記可動演出部材が固定されるとともに、該可動演出部材を前記所定の方向に交差する方向に可動可能な第２可動手段と、一端が前記第１可動手段に組み付けられ、且つ、他端が前記第２可動手段に組み付けられるとともに、前記第１可動手段の移動を前記第２可動手段の可動に伝達する伝達手段と、を備え、前記可動演出部材は、前記第１可動手段が移動したとき、前記伝達手段を介して前記第２可動手段が可動することにより、前記所定の方向に沿って移動しつつ、その所定方向に対して前記交差する方向にも移動することを特徴とする。
【０００９】
また、本発明の遊技機用可動演出装置は、前記伝達手段は、長手状形態をなし被ガイド部を備える梃子部材と、前記第１可動手段の移動に伴い前記被ガイド部を案内する所望の経路のガイドレールと、を含み構成され、前記被ガイド部は、前記梃子部材の長手方向中間位置に配置されていることを特徴とする。
【００１０】
また、本発明の遊技機用可動演出装置は、前記ガイドレールは、前記第１可動手段に組み付けられた前記伝達手段として前記梃子部材の一端が移動する軌跡に対して、前記可動演出部材の移動の前後において前記直交する方向に略同等な距離の範囲内で形成されていることを特徴とする。
【００１１】
また、本発明の遊技機用可動演出装置は、前記ガイドレールは、この端部に前記所定の方向に沿う部分で、且つ、前記被ガイド部を収納する部分が形成されていることを特徴とする。
【００１２】
そして、本発明の遊技機は、上記特徴を有する遊技機用可動演出装置を備えたことを特徴とする。
【００１３】
以上のような特徴を有する本発明によれば、所定の方向を上下方向に合うように設定したとすると、可動演出部材が落下する場合、真っ直ぐ下へ落下するのではなく、斜め下方向への落下になる。また、所定の方向を上下方向に合うように設定したとすると、可動演出部材が上昇する場合には、真っ直ぐ上に上昇するのではなく、斜め上方向への上昇になる。さらに、所定の方向を左右方向に合うように設定したとすると、可動演出部材が左右方向へ移動する場合には、真っ直ぐ左右方向へ移動するのではなく、斜め下方向又は斜め上方向への移動になる。本発明によれば、各手段が作動して可動演出部材が単調な一方向への移動ではない斜め方向へ移動する。斜め方向への移動は、他の可動演出部材を設ける場合に、他の可動演出部材の可動領域を大きくとることが可能になる。
【００１４】
本発明によれば、所定の方向に沿っての移動スピードと、所定の方向に対し交差する方向の移動スピードとを機構的に調節することにより、単調な一方向への移動では得られない動きを可動演出部材にさせることが可能になる。また、本発明によれば、ガイドレールの経路を検討することにより、遊技者の興趣を高める動きにすることが可能になる。言い換えれば、ガイドレールの経路によって可動演出部材のスライド移動に変化を持たせることが可能になる。さらに、本発明によれば、梃子部材における被ガイド部とガイドレールとの配置などによって、省スペース化やコンパクト化を図ることが可能になる。尚、上記以外の作用に関しては、発明を実施するための形態の欄にて詳細に説明する。
【発明の効果】
【００１５】
本発明によれば、可動演出部材を単調な一方向への移動ではなく斜め方向への移動も含めて移動をさせることにより、従来よりも遊技者の興趣を高めることができるという効果を奏する。また、本発明によれば、複雑な構造にしなくても、従来よりも遊技者の興趣を高める動きにすることができるという効果を奏する。さらに、本発明によれば、省スペース化やコンパクト化を図ることができるという効果を奏する。さらにまた、本発明によれば、可動演出部材のスライド移動を大きくして、遊技者の興趣を高めることに寄与することができるという効果を奏する。
【００１６】
本発明によれば、遊技者の興趣を高めることに寄与する遊技機を提供することができるという効果を奏する。
【図面の簡単な説明】
【００１７】
【図１】可動演出部材が初期位置を示す遊技機の正面図である。
【図２】可動演出部材が移動した後の位置を示す遊技機の正面図である。
【図３】遊技機用可動演出装置の前側から見た斜視図である。
【図４】遊技機用可動演出装置の後側から見た斜視図である。
【図５】遊技機用可動演出装置の前側から見た分解斜視図である。
【図６】遊技機用可動演出装置の後側から見た分解斜視図である。
【図７】可動演出部材及び可動手段の装置前側から見た分解斜視図である。
【図８】可動演出部材及び可動手段の装置後側から見た分解斜視図である。
【図９】可動演出部材が初期位置を示す遊技機用可動演出装置の正面図である。
【図１０】可動演出部材が初期位置を示す遊技機用可動演出装置の正面図（前側ケースを除く）である。
【図１１】可動演出部材が初期位置を示す遊技機用可動演出装置の背面図である。
【図１２】可動演出部材が初期位置を示す遊技機用可動演出装置の背面図（後側ケースを除く）である。
【図１３】可動演出部材が移動途中となる位置を示す遊技機用可動演出装置の正面図（前側ケースを除く）である。
【図１４】可動演出部材が移動途中となる位置を示す遊技機用可動演出装置の背面図（後側ケースを除く）である。
【図１５】可動演出部材が移動した後の位置を示す遊技機用可動演出装置の正面図（前側ケースを除く）である。
【図１６】可動演出部材が移動した後の位置を示す遊技機用可動演出装置の背面図（後側ケースを除く）である。
【発明を実施するための形態】
【００１８】
以下、図面を参照しながら一実施形態を説明する。図１及び図２は遊技機の正面図である。
【００１９】
図１及び図２において、遊技機１０１（パチンコ機）は、外枠１０２と、遊技盤１０３を設けてなる図示しない内枠と、この内枠を覆う前面枠１０４とを備えて構成されている。内枠は、ヒンジ機構１０５により外枠１０２に対して前面側に開閉可能に取り付けられている。また、前面枠１０４は、内枠に対して開閉可能に取り付けられている。引用符号１０６は内枠及び前面枠１０４を施錠する施錠装置のシリンダ錠を示している。前面枠１０４の表示窓１０７の下方には、遊技球を貯留するとともに遊技球発射装置（図示省略）へ遊技球を供給するための供給皿１０８が設けられている。上記遊技球発射装置は、操作ハンドル１０９の操作に応じて作動するようになっている。操作ハンドル１０９の近傍には、スピーカー１１０が設けられている。スピーカーに関しては、引用符号１１０の他に１１１で示すものもある。
【００２０】
遊技盤１０３は、略方形状に形成されている。遊技盤１０３には、所定の幅員のレール１１２によって略円形に区画される遊技領域１１３が形成されている。遊技領域１１３には、センター役物１１４が設けられている。遊技領域１１３の略中央領域には、可変表示装置１１５（図柄表示装置）が設けられている。この可変表示装置１１５の下方には、入賞装置１１６（電チュー）が設けられている。入賞装置１１６は、可変表示装置１１５の特別図柄を変動させる始動入賞口として設けられている。このような入賞装置１１６の下方には、扉部材を開閉して多量の入賞を可能とする大入賞口１１７（アタッカー）が設けられている。大入賞口１１７の側方には、一般入賞口１１８（チャッカー）を備えた電飾装置（サイドランプ）が設けられている。一方、可変表示装置１１５の側方には、検知スイッチを備えた球通過ゲート１１９（スルーチャッカー）や風車１２０が設けられている。遊技領域１１３の最下端には、入賞口に入賞しなかった遊技球が流入するアウト口（図示省略）が設けられている。
【００２１】
センター役物１１４における左側の位置には、本発明の遊技機用可動演出装置１が設けられている（配置は一例であるものとする。例えば右側の位置でもよいものとする。或いは上側又は下側の位置でもよいものとする）。遊技機用可動演出装置１は、可変表示装置１１５の演出に合わせて可動する可動演出部材２を有している。この可動演出部材２は、例えばリーチアクションなどの演出に合わせて図１の初期位置から図２に示す位置まで左斜め下方向へ特異な動きで落下するようになっている。遊技機用可動演出装置１は、可動演出部材２の移動による独自の演出によって、遊技者の興趣を高めることができるようになっている。また、遊技機用可動演出装置１に関しては、本形態において、初期位置から左斜め下方向へ特異な動きで落下することから、単に真っ直ぐ下へ落下する場合と比べて、他の可動演出部材２０１、２０２に対する可動範囲（移動範囲）を広げることができるようになっている。すなわち、図１及び図２に示すように、他の可動演出部材２０１、２０２を大きく移動させることができるようになっている。
【００２２】
以下、図３ないし図１６を参照しながら遊技機用可動演出装置１について説明をする。図３及び図４は遊技機用可動演出装置１の斜視図、図５ないし図８は分解斜視図、図９ないし図１２は可動演出部材２が初期位置を示す正面図及び背面図、図１３及び図１４は可動演出部材２が移動途中となる位置を示す正面図及び背面図、図１５及び図１６は可動演出２が移動した後の位置を示す正面図及び背面図である。
【００２３】
尚、図３ないし図１６は、図１及び図２における遊技機用可動演出装置１の配置を基準として描かれているものとする。従って、本形態においては、上下方向は図面を正規に見た時の上下に一致するものとする。本明細書において、遊技機１０１における上下方向とは、遊技盤１０３の盤面に沿う態様で遊技球が流下する方向（鉛直方向）を意味している。また、左右方向とは、遊技盤１０３の盤面に沿う態様で上下方向に直交する方向（水平方向）を意味している。また、前後方向とは、遊技盤１０３の盤面に直交する方向（水平方向）を意味している。盤面の遊技者側が前側を意味し、盤面の奥側が後側を意味している。
【００２４】
図３及び図４において、遊技機用可動演出装置１は、装置本体３と、この装置本体３によって遊技者の興趣を高める動きをする可動演出部材２とを備えて構成されている。装置本体３は、以下の説明で分かるようになるが、可動演出部材２を移動させる移動機構４を有している。移動機構４は、可動演出部材２の移動に係る全ての部材を指すものとする。
【００２５】
移動機構４における基準位置として、可動演出部材２の例えば上下方向における移動開始位置を第１の位置５（引用符号５で示す黒点であり、実際には存在しないものとする）と設定し、また、同じく可動演出部材２の上下方向における移動終了位置を第２の位置６（引用符号６で示す黒点であり、実際には存在しないものとする）と設定すると、これら２つの位置５、６を仮に直線（仮想線で示す直線７を参照）で結べば、この直線７に沿うように（上下方向に）可動演出部材２が移動するのは勿論のこと、直線７に対して交差する方向（左右方向）にも可動演出部材２が移動するように移動機構４は構成されている。本形態において、直線７の方向（上下方向）は、特許請求の範囲に記載した所定の方向に相当するものとする。
【００２６】
図３ないし図８において、移動機構４について詳しく説明すると、この移動機構４は、１つの駆動手段８と、駆動手段８の駆動により直線７に沿って移動、すなわち上下方向に移動する第１可動手段９と、第１可動手段９に固定され且つ可動演出部材２を上記交差する方向（左右方向）にスライド自在に支持する第２可動手段１０と、第１可動手段９の移動を第２可動手段１０に伝達して可動演出部材２をスライド移動させる伝達手段１１とを含んで構成されている。伝達手段１１は、この一端が第１可動手段９に組み付けられるとともに、他端が第２可動手段１０に組み付けられている。移動機構４に関連する部材としては、上記の他に、前側ケース１２及び後側ケース１３も含まれるものとする。
【００２７】
駆動手段８は、電動モータを含むものであって、電動モータとしては各種のモータが採用可能であるものとする。本形態においては、ステッピングモータとこれを駆動制御するためのものとが採用されている。駆動手段８は、後側ケース１３のモータ固定部１４に固定されて回転軸１５を所定位置に突出させるようになっている。回転軸１５には、ギア１６が組み付けられている。
【００２８】
第１可動手段９は、図５及び図６に示すように、上下方向の移動に係る部材を指すものであって、上下方向にのびるラック１７と、このラック１７に噛み合うピニオン１８とを有している。ピニオン１８は、駆動手段８の駆動によって所定方向へ回転するようになっている。本形態において、回転軸１５のギア１６とピニオン１８との間には、ギア１９が設けられている。ピニオン１８及びギア１９は、後側ケース１３に組み付けられる２つの軸２０によってそれぞれ回転するようになっている。ラック１７は、上下方向及び左右方向にのびる略Ｌ字状の部材、すなわちＬ字部材２１に固定されている。具体的には、Ｌ字部材２１の上下方向にのびる部分２２（特許請求の範囲に記載した第１の部分に相当）の側部にラック１７が固定されている。上下方向にのびる部分２２の正面側であってラック１７の隣には、第１被ガイド部２３が固定されている。第１被ガイド部２３は、上下方向にのびる部材であって、前側ケース１２に組み付けられる第１ガイドレール２４にガイドされるようにこの形状が形成されている。また、配置されている。第１ガイドレール２４は、上下方向に真っ直ぐのびる浅底の略箱型レール形状に形成されている。第１ガイドレール２４の下端には、固定部材２５が設けられている。
【００２９】
Ｌ字部材２１の上下方向にのびる部分２２の背面下側には、軸２６が組み付けられている。この軸２６は、伝達手段１１の上記一端を回転可能に軸支する部分となっている（伝達手段１１については後述する）。上下方向にのびる部分２２の上端には、後側ケース１３の上端に設けられるストッパ２７に対して当接可能となり、且つ当接した場合にはＬ字部材２１の上方向への移動を規制することが可能な当接部２８が設けられている。尚、当接部２８には、永久磁石が取り付けられており、この永久磁石による補助がなされている。このような当接部２８の隣には、位置検知に用いるための検知部材２９が設けられている。検知部材２９は、前側ケース１２の上端に設けられる位置検知センサ３０に対応するように配置されている。検知部材２９及び位置検知センサ３０は、駆動手段８の駆動制御に使用されている。
【００３０】
引用符号３１は、検知部材２９の近傍で尚かつラック１７よりも側方へ突出する第２被ガイド部を示している。第２被ガイド部３１は、後側ケース１３の第２ガイドレール３２にガイドされるように配置形成されている。第２ガイドレール３２は、上下方向に真っ直ぐのびる略レール形状に形成されている。第２ガイドレール３２は、後側ケース１３における側壁３３の端部を一段下げるような形状にも形成されている。
【００３１】
第２可動手段１０は、図７及び図８に示すように、可動演出部材２を固定するスライダー３４と、このスライダー３４を左右方向にスライド自在に収容するスライダーケース３５（図５及び図６参照。以下同様）と、スライダーケース３５内に設けられスライダー３４をガイドする複数のローラー３６とを含んで構成されている。スライダー３４は、左右方向に細長くのびる部材であって、この一端側に可動演出部材２が固定されている。スライダー３４の他端には、軸３７が設けられている。この軸３７は、伝達手段１１の上記他端を回転可能に軸支する部分となっている（伝達手段１１については後述する）。スライダーケース３５は、この前側がＬ字部材２１の左右方向にのびる部分３８（特許請求の範囲に記載した第２の部分に相当）によって兼用されている。左右方向にのびる部分３８に対しては、この後側が蓋部材３９により覆われるようになっている。蓋部材３９は、スライダーケース３５の後側を構成する部材として設けられている。複数のローラー３６は、蓋部材３９に組み付けられている。引用符号４０は図示しない配線を通す際に用いる押さえ部材を示している（可動演出部材２を発光させるなどする際に用いるものとする）。
【００３２】
伝達手段１１は、図５及び図７に示すように、後側ケース１３において所望の経路に形成される第３ガイドレール４１（特許請求の範囲に記載したガイドレールに相当）と、この第３ガイドレール４１の経路に合わせて移動する梃子部材４２とを含んで構成されている。第３ガイドレール４１は、上下方向に真っ直ぐとなる溝ではなく、前側から見た場合に右上から左下へと湾曲しながら下がるような溝に形成されている（図中の経路は一例であるものとする）。
【００３３】
梃子部材４２は、細長い部材であって、この一端が第１可動手段９における上下方向にのびる部分２２の軸２６に対して回転可能に軸支されるようになっている。引用符号４３は上記の軸支に用いるための軸支部材を示している。一方、梃子部材４２の他端は、第２可動手段１０におけるスライダー３４の軸３７に対して回転可能に軸支されるようになっている。引用符号４４は抜け止めとなるような軸支部材を示している。このような梃子部材４２の長手方向中間位置（長手方向略中央位置）には、軸４５が設けられている。この軸４５には、第３被ガイド部４６（特許請求の範囲に記載した被ガイド部に相当）が一体化するように組み付けられている。第３被ガイド部４６は、第３ガイドレール４１に差し込まれてガイドされる部分として設けられている。尚、第３被ガイド部４６の上記配置は一例であるものとする。梃子部材４２は、第３ガイドレール４１に対して交差するように配置されている（図１２、図１４、及び図１６参照）。
【００３４】
本形態において、移動機構４は、第３ガイドレール４１、梃子部材４２、及び第３被ガイド部４６の配置関係によって、特に左右方向のサイズを大きくとらなくても可動演出部材２の左右方向の移動を大きく、すなわちダイナミックな動きにすることができるようになっている。これは、梃子部材４２の長手方向中間位置に第３被ガイド部４６を配置すると、上記のように湾曲しながら下がる第３ガイドレール４１の左右方向のサイズを大きくとらなくても、可動演出部材２の左右方向の移動を大きくすることができるようになるからである。
【００３５】
図１４及び図１６を参照しながら具体的な一例を挙げて説明すると、図１４において（可動演出部材２の後述する移動途中位置）、梃子部材４２はこの長手方向が上下方向に一致するような状態に配置される。言い換えれば、梃子部材４２の上記一端に位置する軸２６が移動する軌跡が上下方向に一致するように配置されている。梃子部材４２の長手方向中間位置に配置される第３被ガイド部４６は、第３ガイドレール４１にガイドされる。この時の梃子部材４２や第３ガイドレール４１の配置関係は、軸２６の軌跡による直線に対して第３ガイドレール４１のレール上部４１ａとレール下部４１ｂとが左右方向にほぼ同じ長さ（幅）に配置されるようになる。
【００３６】
図１６において（可動演出部材２の後述する移動終了位置）、第３被ガイド部４６が第３ガイドレール４１のレール下部４１ｂにより案内されると、梃子部材４２は図中のように右側へ傾く（右側への傾きは後側から見た場合である。前側から見た場合は左側へ傾く）。これに伴って可動演出部材２は斜め下方向へと移動する。
【００３７】
仮に、第３被ガイド部４６の配置を現在よりも梃子部材４２の他端側（スライダー３４側）に配置すれば、可動演出部材２を同じように移動させる場合、レール下部４１ｂを図中右側へ大きく形成しなければならないことになる。従って、本形態の第３ガイドレール４１、梃子部材４２、及び第３被ガイド部４６の配置関係は、左右方向のサイズを大きくとらなくても、可動演出部材２の左右方向の移動を大きくすることができる。言い換えれば、移動機構４のコンパクト化を図ることができる。本形態の配置関係によれば、第３ガイドレール４１の湾曲形状を滑らかにする（曲率を大きくする）ことができ、結果、スムーズなガイド（スムーズな移動）をすることができる。
【００３８】
本形態において、第３ガイドレール４１は、図１５に示すようなレール端部４１ｃをレール上部４１ａの端部位置に有している。レール端部４１ｃは、上下方向にのびる短い凹部分であって、可動演出部材２の後述する初期位置においては第３被ガイド部４６が上下方向に真っ直ぐ収まる（移動開始する）ように形成されている。すなわち、レール端部４１ｃは、専用の収納部分となり、可動演出部材２が後述する初期位置において上下方向に真っ直ぐ収まる（移動開始する）ように形成されている。したがって、例えばセンター役物１１４における他の装飾部材との干渉をさけて効率よく移動させることができる。また、可動演出部材２が初期位置において、上記他の装飾部材との隙間を小さくすることが可能となり、センター役物１１４の意匠性を損なうことなく配置することができる。レール端部４１ｃに第３被ガイド部４６が収まることにより、上記初期位置での可動演出部材２の左右方向のズレが抑えられるという利点も有している。レール端部４１ｃは、第３ガイドレール４１の上端に限らず、下端側に配置してもよいものとする。
【００３９】
可動演出部材２は、所望の形状に形成される装飾部４７と、この装飾部４７の後側に固定されるベース部４８とを含んで構成されている。可動演出部材２は、これ自体を発光させて演出効果を高める場合には、ベース部４８の前側に発光基板等（図示省略）を実装することができるようになっている。ベース部４８の後側には、スライダー３４に対する固定部４９が形成されている。尚、装飾部４７の外観形状及び意匠５０は一例であるものとする。
【００４０】
上記構成及び構造において、可動演出部材２は図１に示す初期位置から図２に示す移動終了位置まで移動するとともに、再び初期位置まで戻るように構成されている。以下、図９ないし図１６を参照しながら可動演出部材２の移動について説明をする。
【００４１】
図９ないし図１１において、可動演出部材２の初期位置では、可動演出部材２が可変表示装置１１５（図１参照）の上端略中央位置の上方に配置される。この時、Ｌ字部材２１は、前側ケース１２及び後側ケース１３の内部において、最も上方となる位置に配置される。ラック１７の下端には、ピニオン１８が噛み合っている。検知部材２９は位置検知センサ３０の位置にあり、これにより駆動手段８は初期位置としての制御がなされる。可動演出部材２を固定した状態のスライダー３４は、スライダーケース３５の端部から後面視左側へのびるように配置される。スライダー３４に組み付けられ、また、Ｌ字部材２１の上下方向にのびる部分２２にも組み付けられる梃子部材４２は、第３被ガイド部４６が第３ガイドレール４１の前面視右上位置に差し込まれた状態に配置される。梃子部材４２は、この長手が斜め方向に向くように、すなわち前面視右上から左下へと傾くように（後面視左上から右下へと傾くように）配置される。
【００４２】
図１３及び図１４において、駆動手段８の駆動によりピニオン１８が回転し、このピニオン１８に噛み合うラック１７が作動すると、Ｌ字部材２１は第１被ガイド部２３及び第１ガイドレール２４に案内されて下方へと移動する。そして、可動演出部材２は図示のように移動途中となる。可動演出部材２は、真っ直ぐ下へ落下するのではなく、前面視左斜め下方向へと移動する。具体的には、Ｌ字部材２１が下方へと移動することにより、梃子部材４２に対して引っ張りの力が作用する。梃子部材４２は、第３被ガイド部４６が第３ガイドレール４１に案内されつつ下方へと移動する。第３ガイドレール４１は、上下方向に真っ直ぐとなる溝に形成されるのではなく、前面視右上から左下へと湾曲しながら下がる溝に形成されることから、図１３及び図１４の位置では、梃子部材４２が上下方向へ向くように配置される。スライダー３４は、梃子部材４２が上下方向へ向くことから、ある程度スライダーケース３５内に引き込まれる。従って、下方への移動と前面視左方向への移動とが同時に行われる。言い換えれば、下方へ移動しつつ前面視左方向へも移動することから、可動演出部材２は前面視左斜め下方向へと移動するように遊技者から見える。
【００４３】
図１５及び図１６において、駆動手段８の駆動によりピニオン１８が所定の回数だけ回転すると、駆動手段８による駆動が停止する。これに伴ってＬ字部材２１の下方への移動も停止する。可動演出部材２は、図示のように移動終了位置まで移動したことになる。可動演出部材２は、可変表示装置１１５（図１参照）の前に配置された状態で停止する。図１３及び図１４の移動途中状態から移動終了位置までの移動は、Ｌ字部材２１が下方へと移動することにより、梃子部材４２が第３ガイドレール４１に案内されつつ下方へと移動する。この時、梃子部材４２は後面視右上から左下へと傾くように（前面視左上から右下へと傾くように）配置される。スライダー３４は、梃子部材４２が上記のように傾くことから、スライダーケース３５内にほぼ全部引き込まれる。従って、可動演出部材２は前面視左斜め下方向へと移動した状態で停止する。
【００４４】
尚、駆動手段８を逆に駆動させることにより、可動演出部材２は元の位置へと戻るようになる。
【００４５】
本発明は本発明の主旨を変えない範囲で種々変更実施可能なことは勿論である。
【００４６】
上記説明においては、装置本体３をこの長手方向が上下方向に一致するように配置したが、これに限らず左右方向に一致するように配置してもよいものとする。
【符号の説明】
【００４７】
１…遊技機用可動演出装置
２…可動演出部材
３…装置本体
４…移動機構
５…第１の位置
６…第２の位置
７…直線
８…駆動手段
９…第１可動手段
１０…第２可動手段
１１…伝達手段
１２…前側ケース
１３…後側ケース
１７…ラック
１８…ピニオン
２１…Ｌ字部材
２２…上下方向にのびる部分（第１の部分）
２３…第１被ガイド部
２４…第１ガイドレール
２７…ストッパ
２８…当接部
２９…検知部材
３０…位置検知センサ
３１…第２被ガイド部
３２…第２ガイドレール
３３…側壁
３４…スライダー
３５…スライダーケース
３６…ローラー
３８…左右方向にのびる部分（第２の部分）
３９…蓋部材
４０…押さえ部材
４１…第３ガイドレール（ガイドレール）
４１ａ…レール上部
４１ｂ…レール下部
４１ｃ…レール端部
４２…梃子部材
４６…第３被ガイド部（被ガイド部）
４７…装飾部
４８…ベース部
４９…固定部
５０…意匠
２０１、２０２…他の可動演出部材
【図１】
2011019687.tif 000003
【図２】
2011019687.tif 000004
【図３】
2011019687.tif 000005
【図４】
2011019687.tif 000006
【図５】
2011019687.tif 000007
【図６】
2011019687.tif 000008
【図７】
2011019687.tif 000009
【図８】
2011019687.tif 000010
【図９】
2011019687.tif 000011
【図１０】
2011019687.tif 000012
【図１１】
2011019687.tif 000013
【図１２】
2011019687.tif 000014
【図１３】
2011019687.tif 000015
【図１４】
2011019687.tif 000016
【図１５】
2011019687.tif 000017
【図１６】
2011019687.tif 000018